(57)【特許請求の範囲】
【請求項１】
下記を具備する、ワイヤレス通信のための方法：
チャネル品質インジケーション（ＣＱＩ）をコンピュートするための選択される方法を得ること、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってＣＱＩをコンピュートすること；および
基地局に対してユーザ機器（ＵＥ）から前記ＣＱＩを送ること。
【請求項２】
前記複数の方法は、前記特定のコードワードに使用される１つまたは複数のレイヤにわたって信号品質を平均することなくＣＱＩをコンピュートするための第１の方法と、前記特定のコードワードに使用される１つまたは複数のレイヤにわたって信号品質を平均することによってＣＱＩをコンピュートするための第２の方法と、を含む、請求項１に記載の方法。
【請求項３】
前記特定のコードワードは、前記複数のコードワードの中の１番目のコードワードである、請求項１に記載の方法。
【請求項４】
ＣＱＩを前記コンピュートすることは、前記ＵＥが連続干渉キャンセル（ＳＩＣ）をサポートするか否かに基づいて前記特定のコードワードについてのＣＱＩをコンピュートすることを具備する、請求項１に記載の方法。
【請求項５】
請求項１に記載の方法、ここにおいて、前記ＵＥは、連続干渉キャンセル（ＳＩＣ）をサポートし、ＣＱＩを前記コンピュートすることは、下記を具備する：
前記特定のコードワードが前記複数のコードワードの中の１番目のコードワードである場合には干渉キャンセルを用いずにＣＱＩをコンピュートすること、および
前記特定のコードワードが前記複数のコードワードの中の２番目のコードワードである場合には干渉キャンセルを用いてＣＱＩをコンピュートすること。
【請求項６】
請求項１に記載の方法、ここにおいて、ＣＱＩを前記コンピュートすることは、下記を具備する：
前記特定のコードワードに使用される少なくとも１つのレイヤの信号品質を決定すること、および
前記特定のコードワードに使用される前記少なくとも１つのレイヤの前記信号品質に基づいて前記特定のコードワードについてのＣＱＩをコンピュートすること。
【請求項７】
前記特定のコードワードは、送信に使用される複数のレイヤにマッピングされ、前記選択される方法は、また、送信に使用される前記複数のレイヤにわたって信号品質を平均することによって前記ＣＱＩをコンピュートするためのものである、請求項１に記載の方法。
【請求項８】
請求項７に記載の方法、ここにおいて、ＣＱＩを前記コンピュートすることは、下記を具備する：
前記ＵＥが連続干渉キャンセル（ＳＩＣ）をサポートするか否かに基づいて前記複数のレイヤの複数の信号品質を決定すること、および
前記複数のレイヤの前記複数の信号品質の平均に基づいてＣＱＩをコンピュートすること。
【請求項９】
請求項８に記載の方法、ここにおいて、前記ＵＥは、連続干渉キャンセル（ＳＩＣ）をサポートし、前記複数のレイヤの前記複数の信号品質を前記決定することは、下記を具備する：
干渉キャンセルを用いずに１番目のコードワードに使用される少なくとも１つのレイヤの信号品質を決定すること、および
干渉キャンセルを用いて２番目のコードワードに使用される少なくとも１つの追加のレイヤの信号品質を決定すること。
【請求項１０】
下記をさらに具備する、請求項１に記載の方法：
前記ＣＱＩに基づいて前記ＵＥに対して前記基地局によって送られた複数のコードワードを受信すること。
【請求項１１】
下記を具備する、ワイヤレス通信のための装置：
チャネル品質インジケーション（ＣＱＩ）をコンピュートするための選択される方法を選ぶ手段、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってＣＱＩをコンピュートする手段；および
基地局に対してユーザ機器（ＵＥ）から前記ＣＱＩを送る手段。
【請求項１２】
請求項１１に記載の装置、ここにおいて、ＣＱＩをコンピュートする前記手段は、下記を具備する：
前記ＵＥが連続干渉キャンセル（ＳＩＣ）をサポートするか否かに基づいて前記特定のコードワードについてのＣＱＩをコンピュートする手段。
【請求項１３】
請求項１２に記載の装置、ここにおいて、前記ＵＥは、連続干渉キャンセル（ＳＩＣ）をサポートし、ＣＱＩをコンピュートする前記手段は、下記を具備する：
前記特定のコードワードが前記複数のコードワードの中の１番目のコードワードである場合には干渉キャンセルを用いずにＣＱＩをコンピュートする手段、および
前記特定のコードワードが前記複数のコードワードの中の２番目のコードワードである場合には干渉キャンセルを用いてＣＱＩをコンピュートする手段。
【請求項１４】
請求項１１に記載の装置、ここにおいて、前記特定のコードワードは、送信に使用される複数のレイヤにマッピングされ、前記選択される方法は、また、送信に使用される前記複数のレイヤにわたって信号品質を平均することによってＣＱＩをコンピュートするためのものであり、ＣＱＩをコンピュートする前記手段は、下記を具備する：
前記ＵＥが連続干渉キャンセル（ＳＩＣ）をサポートするか否かに基づいて前記複数のレイヤの複数の信号品質を決定する手段、および
前記複数のレイヤの前記複数の信号品質の平均に基づいてＣＱＩをコンピュートする手段。
【請求項１５】
請求項１４に記載の装置、ここにおいて、前記ＵＥは、連続干渉キャンセル（ＳＩＣ）をサポートし、前記複数のレイヤの前記複数の信号品質を決定する前記手段は、下記を具備する：
干渉キャンセルを用いずに１番目のコードワードに使用される少なくとも１つのレイヤの信号品質を決定する手段、および
干渉キャンセルを用いて２番目のコードワードに使用される少なくとも１つの追加のレイヤの信号品質を決定する手段。
【請求項１６】
下記を具備する、ワイヤレス通信のための装置：
チャネル品質インジケーション（ＣＱＩ）をコンピュートするための選択される方法を得るように構成された少なくとも１つのプロセッサ、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；前記少なくとも１つのプロセッサはさらに、前記選択される方法にしたがってＣＱＩをコンピュートし、基地局に対してユーザ機器（ＵＥ）から前記ＣＱＩを送るように構成される。
【請求項１７】
前記少なくとも１つのプロセッサは、前記ＵＥが連続干渉キャンセル（ＳＩＣ）をサポートするか否かに基づいて前記特定のコードワードについてのＣＱＩをコンピュートするように構成される、請求項１６に記載の装置。
【請求項１８】
前記ＵＥは、連続干渉キャンセル（ＳＩＣ）をサポートし、前記少なくとも１つのプロセッサは、前記特定のコードワードが前記複数のコードワードの中の１番目のコードワードである場合には干渉キャンセルを用いずにＣＱＩをコンピュートするように、前記特定のコードワードが前記複数のコードワードの中の２番目のコードワードである場合には干渉キャンセルを用いてＣＱＩをコンピュートするように、構成される、請求項１７に記載の装置。
【請求項１９】
前記特定のコードワードは、送信に使用される複数のレイヤにマッピングされ、前記選択される方法は、また、送信に使用される前記複数のレイヤにわたって信号品質を平均することによってＣＱＩをコンピュートするためのものであり、前記少なくとも１つのプロセッサは、前記ＵＥが連続干渉キャンセル（ＳＩＣ）をサポートするか否かに基づいて前記複数のレイヤの複数の信号品質を決定するように、そして、前記複数のレイヤの前記複数の信号品質の平均に基づいてＣＱＩをコンピュートするように、構成される、請求項１６に記載の装置。
【請求項２０】
前記ＵＥは、連続干渉キャンセル（ＳＩＣ）をサポートし、前記少なくとも１つのプロセッサは、干渉キャンセルを用いずに１番目のコードワードに使用される少なくとも１つのレイヤの信号品質を決定するように、そして、干渉キャンセルを用いて２番目のコードワードに使用される少なくとも１つの追加のレイヤの信号品質を決定するように、構成される、請求項１９に記載の装置。
【請求項２１】
下記を具備するコンピュータプログラム：
チャネル品質インジケーション（ＣＱＩ）をコンピュートするための選択される方法を得ることを、少なくとも１つのプロセッサにさせるためのコード、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってＣＱＩをコンピュートすることを、前記少なくとも１つのプロセッサにさせるためのコード；および
基地局に対してユーザ機器（ＵＥ）から前記ＣＱＩを送ることを、前記少なくとも１つのプロセッサにさせるためのコード。
【請求項２２】
下記を具備する、ワイヤレス通信のための方法：
チャネル品質インジケーション（ＣＱＩ）をコンピュートするための選択される方法を決定すること、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってユーザ機器（ＵＥ）によってコンピュートされるＣＱＩを受信すること；および
前記受信されたＣＱＩに基づいて前記ＵＥに対して基地局からデータを送ること。
【請求項２３】
前記受信されたＣＱＩは、前記特定のコードワードについてのものである、請求項２２に記載の方法。
【請求項２４】
請求項２３に記載の方法、ここにおいて、前記ＵＥは、前記複数のコードワードについて同様な複数の信号品質を観測し、データを前記送ることは下記を具備する：
前記受信されたＣＱＩに基づいて変調および符号化スキーム（ＭＣＳ）を決定すること、ならびに
前記ＭＣＳに基づいて前記複数のコードワードのそれぞれを処理すること。
【請求項２５】
請求項２３に記載の方法、ここにおいて、前記ＵＥは、前記複数のコードワードについて異なる複数の信号品質を観測し、データを前記送ることは下記を具備する：
前記受信されたＣＱＩに基づいて前記特定のコードワードについて変調および符号化スキーム（ＭＣＳ）を決定すること、
前記受信されたＣＱＩに基づいて別のコードワードについて別のＭＣＳを決定すること、ならびに
前記コードワードについて決定された前記ＭＣＳに基づいて各コードワードを処理すること。
【請求項２６】
前記特定のコードワードは、送信に使用される複数のレイヤにマッピングされ、前記選択される方法は、また、送信に使用される前記複数のレイヤにわたって信号品質を平均することによってＣＱＩをコンピュートするためのものである、請求項２２に記載の方法。
【請求項２７】
請求項２６に記載の方法、ここにおいて、データを前記送ることは、下記を具備する：
前記受信されたＣＱＩに基づいて複数のコードワードについて少なくとも１つの変調および符号化スキーム（ＭＣＳ）を決定すること、ならびに
前記少なくとも１つのＭＣＳに基づいて前記複数のコードワードを処理すること。
【請求項２８】
ＣＱＩをコンピュートするための前記選択される方法を前記決定することは、前記ＵＥのために前記基地局によって前記選択される方法を選ぶことを具備する、請求項２２に記載の方法。
【請求項２９】
前記選択される方法は、前記ＵＥが連続干渉キャンセル（ＳＩＣ）をサポートするか否かに基づいて選ばれる、請求項２２に記載の方法。
【請求項３０】
下記を具備する、ワイヤレス通信のための装置：
チャネル品質インジケーション（ＣＱＩ）をコンピュートするための選択される方法を決定する手段、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってユーザ機器（ＵＥ）によってコンピュートされるＣＱＩを受信する手段；および
前記受信されたＣＱＩに基づいて前記ＵＥに対して基地局からデータを送る手段。
【請求項３１】
前記受信されたＣＱＩは、前記特定のコードワードについてのものである、請求項３０に記載の装置。
【請求項３２】
前記特定のコードワードは、送信に使用される複数のレイヤにマッピングされ、前記選択される方法は、また、送信に使用される前記複数のレイヤにわたって信号品質を平均することによってＣＱＩをコンピュートするためのものであり、前記受信されたＣＱＩは、前記複数のレイヤの複数の信号品質の平均に基づいて決定される、請求項３０に記載の装置。
【請求項３３】
請求項３０に記載の装置、ここにおいて、データを送る前記手段は、下記を具備する：
前記受信されたＣＱＩに基づいて変調および符号化スキーム（ＭＣＳ）を決定する手段、ならびに
前記ＭＣＳに基づいて複数のコードワードのそれぞれを処理する手段。
【請求項３４】
請求項３０に記載の装置、ここにおいて、データを送る前記手段は、下記を具備する：
前記受信されたＣＱＩに基づいて少なくとも２つの変調および符号化スキーム（ＭＣＳ）を決定する手段、ならびに
前記少なくとも２つのＭＣＳに基づいて複数のコードワードを処理する手段。
【請求項３５】
下記を具備する、ワイヤレス通信のための装置：
少なくとも１つのプロセッサであって、
チャネル品質インジケーション（ＣＱＩ）をコンピュートするための選択される方法を決定し、ここで、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってユーザ機器（ＵＥ）によってコンピュートされるＣＱＩを受信し；
前記受信されたＣＱＩに基づいて前記ＵＥに対して基地局からデータを送る、
ように構成された、少なくとも１つのプロセッサ。
【請求項３６】
下記を具備する、コンピュータプログラム：
少なくとも１つのプロセッサに下記を実行させるためのコード：
チャネル品質インジケーション（ＣＱＩ）をコンピュートするための選択される方法を決定すること、ここで、前記選択される方法は、ＣＱＩをコンピュートするのに利用可能な複数の方法から選ばれ、前記選択される方法は、複数の選択可能なコードワードの中から特定のコードワードについてＣＱＩをコンピュートするためのものであり、前記複数の選択可能なコードワードは、複数のコードワードからの少なくとも２つのコードワードに対応する；
前記選択される方法にしたがってユーザ機器（ＵＥ）によってコンピュートされるＣＱＩを受信すること；
前記受信されたＣＱＩに基づいて前記ＵＥに対して基地局からデータを送ること。
【発明の詳細な説明】
【優先権の主張】
【０００１】
本願は、２００９年１月１２日に出願され、参照によってここにおいて組み込まれる「Ｅ−ＵＴＲＡＮにおけるチャネル品質インジケーション（ＣＱＩ）のコンピューテーション／報告の方法および装置（METHOD AND APPARATUS OF CHANNEL QUALITY INDICATION (CQI) COMPUTATION/REPORTING IN E-UTRAN)」と題された米国仮出願番号第６１／１４４，０９９号に対する優先権の主張をする。
【背景】
【０００２】
（Ｉ．分野）
本開示は、一般的には通信に関し、より具体的にはチャネル品質インジケーション（ＣＱＩ）をコンピュートし報告するための技術に関する。
【０００３】
（ＩＩ．背景）
ワイヤレス通信ネットワークは、音声、ビデオ、パケットデータ、メッセージング、ブロードキャスト等のような様々な通信コンテンツを提供するように広く展開されている。これらのワイヤレスネットワークは、利用可能なネットワークリソースを共有することによって複数のユーザをサポートできる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレス通信ネットワークは、多数のユーザ機器（ＵＥ）のための通信をサポートできる多数の基地局を含むことができる。基地局は、ＵＥに対してダウンリンク上でデータを送信することができる。ダウンリンクデータ送信についてのよい性能は、基地局からＵＥまでの通信チャネルの品質をＵＥに推定させること、その推定されたチャネル品質に基づいてＣＱＩをコンピュートすること、そして、基地局に対してＣＱＩを送ること、によって達成されることができる。ＣＱＩは、推定されたチャネル品質、または、通信チャネル上のデータ送信に使用されることができる変調および符号化スキーム、を示すことができる。ＣＱＩを精確にコンピュートし効率的に報告することが望ましいことがある。
【発明の概要】
【０００５】
ワイヤレス通信のためのＣＱＩをコンピュートし報告するための技術をここにおいて説明する。基地局は、ＵＥに対して複数のコードワードを同時に送信可能なことがある。コードワードはまた、パケット、データブロックなどとも呼ばれる。単一のＣＱＩが、複数のコードワードについてコンピュートされ報告されることができる。
【０００６】
一態様では、複数のＣＱＩコンピューテーション方法がサポートされることができ、各ＣＱＩコンピューテーション方法は、ＣＱＩがどのようにコンピュートされるべきかを示すことができる。１つのＣＱＩコンピューテーション方法が使用のために選択されることができる。ＣＱＩは、次いで、選択されたＣＱＩコンピューテーション方法に従ってコンピュートされ報告されることができる。
【０００７】
例示的な一設計においては、ＵＥは、ＣＱＩをコンピュートするための選択される方法を得ることができ、該選択される方法は、ＣＱＩをコンピュートするのに利用可能な複数の方法から選ばれる。選択される方法は、（ｉ）基地局によって選ばれ、ＵＥに対してシグナリングされる、または、（ｉｉ）ＵＥによって選ばれ、基地局に対してシグナリングされることができる。選択される方法は、ＵＥの機能、例えば、ＵＥが連続干渉キャンセル（successive interference cancellation）（ＳＩＣ）をサポートするか否か、に基づいて選ばれることができる。ＵＥは、該選択される方法にしたがってＣＱＩをコンピュートすることができる。一設計では、選択される方法は、複数のコードワードの中の特定のコードワードについてのＣＱＩコンピューテーションを指定することができる。ＵＥは、次いで、その機能に基づいて特定のコードワードについてのＣＱＩをコンピュートすることができる。別の設計では、選択される方法は、送信に使用される複数のレイヤ（layer）にわたって信号品質を平均することによってＣＱＩコンピューテーションを指定することができる。ＵＥは、次いで、その機能に基づいて複数のレイヤの信号品質を決定することができ、そして、複数のレイヤの信号品質の平均に基づいてＣＱＩをコンピュートすることができる。両方の設計について、ＵＥは、基地局に対してＣＱＩを送ることができ、その後で、ＣＱＩに基づいて基地局によって送られたデータを受信することができる。
【０００８】
本開示の様々な態様および特徴を以下でさらに詳細に説明する。
【図面の簡単な説明】
【０００９】
【図１】図１は、ワイヤレス通信ネットワークを示す。
【図２】図２は、基地局およびＵＥのブロック図を示す。
【図３】図３と図４は、それぞれ、ＣＱＩをコンピュートし報告し、そしてデータを受信するためのプロセスと装置を示す。
【図４】図３と図４は、それぞれ、ＣＱＩをコンピュートし報告し、そしてデータを受信するための、プロセスと装置を示す。
【図５】図５と図６は、それぞれ、ＣＱＩを受信しデータを送信するための、プロセスと装置を示す。
【図６】図５と図６は、それぞれ、ＣＱＩを受信しデータを送信するためのプロセスと装置を示す。
【詳細な説明】
【００１０】
ここにおいて記載される技術は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用されることができる。用語「ネットワーク（network）」と「システム（system）」はしばしば互換性をもって使用される。ＣＤＭＡネットワークは、ユニバーサル地上ブロードキャストアクセス（Universal Terrestrial Radio Access）（ＵＴＲＡ）、ｃｄｍａ２０００などの無線技術をインプリメントすることができる。ＵＴＲＡは、広帯域ＣＤＭＡ（ＷＣＤＭＡ）、時分割シンクロナスＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６標準を含む。ＴＤＭＡネットワークは、モバイル通信のためのグローバルシステム（ＧＳＭ（登録商標））のような無線通信方法をインプリメントすることができる。ＯＦＤＭＡネットワークは、発展型ＵＴＲＡ（Ｅ−ＵＴＲＡ）、ウルトラモバイルブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術をインプリメントすることができる。ＵＴＲＡおよびＥ−ＵＴＲＡは、ユニバーサルモバイルテレコミュニケーションシステム（ＵＭＴＳ）の一部である。周波数分割デュプレキシング（ＦＤＤ）および時分割デュプレキシング（ＴＤＤ）の両方における３ＧＰＰロングタームエボリューション（ＬＴＥ）およびＬＴＥアドバンスド（ＬＴＥ−Ａ）は、ダウンリンク上でＯＦＤＭＡを利用し、アップリンク上でＳＣ−ＦＤＭＡを利用する、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト(3rd Generation Partnership Project)」(３ＧＰＰ）と称された団体の文書の中に記載されている。さらに、ｃｄｍａ２０００およびＵＭＢは、「第３世代パートナーシッププロジェクト２(3rd Generation Partnership Project 2)」（３ＧＰＰ２）と称された団体の文書の中に記載されている。ここにおいて記載される技術は、以上で述べたワイヤレスネットワークおよび無線技術、ならびに他のワイヤレスネットワークおよび無線技術のために使用されることができる。明瞭にするために、技術のある特定の態様が、以下でＬＴＥに関して説明され、以下の説明の多くの部分でＬＴＥ用語が使用される。
【００１１】
図１は、ワイヤレス通信ネットワーク１００を示しており、それは、ＬＴＥまたは他の何らかのワイヤレスネットワークを用いる発展型ユニバーサル地上無線アクセスネットワーク（ＥＵＴＲＡＮ）でありうる。ネットワーク１００は、多数の発展型ノードＢ（ｅＮＢ）１１０および他の複数のネットワークエンティティを含むことができる。ｅＮＢは、ＵＥと通信する局であってもよく、また、ＮｏｄｅＢ、基地局、アクセスポイントなどとも呼ばれることがある。各ｅＮＢ１１０は、特定の地理的エリアについて通信サービスエリアを提供することができ、サービスエリア内に配置されたＵＥについて通信をサポートすることができる。
【００１２】
ＵＥ１２０は、ワイヤレスネットワーク全体にわたって分散されることができ、各ＵＥは、固定式またはモバイルでありうる。ＵＥは、また、モバイル局、端末、アクセス端末、加入者ユニット、局、などとも呼ばれうる。ＵＥは、セルラ電話、携帯情報端末（ＰＤＡ）、ワイヤレスモデム、ワイヤレス通信デバイス、ハンドへルドデバイス、ラップトップコンピュータ、コードレス電話、ワイヤレスローカルループ（ＷＬＬ）局、スマートフォン、ネットブック、スマートブックなどでありうる。
【００１３】
ＬＴＥは、ダウンリンク上で直交周波数分割多重化（ＯＦＤＭ）を使用し、アップリンク上でシングルキャリア周波数分割多重化（ＳＣ−ＦＤＭ）を使用する。ＯＦＤＭおよびＳＣ−ＦＤＭは、周波数範囲を、一般的にトーン、ビンなどとも呼ばれる、複数の（ＮＦＦＴ）直交サブキャリアへと区分する。各サブキャリアはデータで変調されることができる。一般に、変調シンボルは、ＯＦＤＭを用いて周波数ドメインで送られ、ＳＣ−ＦＤＭを用いて時間ドメインで送られる。
【００１４】
図２は、図１のｅＮＢのうちの１つおよびＵＥのうちの１つでありうる、ｅＮＢ１１０およびＵＥ１２０の一設計のブロック図を示す。ｅＮＢ１１０は、複数の（Ｔ）アンテナ２３４ａ−２３４ｔを備えることができ、ＵＥ１２０は、複数の（Ｒ）アンテナ２５２ａ−２５２ｒを備えることができる。
【００１５】
ｅＮＢ１１０で、送信（ＴＸ）データプロセッサ２２０は、１以上のＵＥについてのデータソース２１２からデータを受信し、そのＵＥについて選択される１以上の変調および符号化スキームに基づいて各ＵＥについてのデータを処理（例、エンコード、変調）し、すべてのＵＥについてデータシンボルを提供することができる。ｅＮＢ１１０はまた、制御情報を処理し、制御シンボルを提供することができる。ＴＸ多入力多出力（ＭＩＭＯ）プロセッサ２３０は、データシンボル、制御シンボル、および参照シンボルを空間的に処理することができ、Ｔ出力シンボルストリームをＴ復調器（ＭＯＤ）２３２ａ−２３２ｔに対して提供することができる。各変調器２３２は、その出力シンボルストリーム（例、ＯＦＤＭについて）を処理して、出力サンプルストリームを得ることができる。各変調器２３２は、その出力サンプルストリームをさらに条件づけ（例、アナログ変換、フィルタ処理、増幅、アップコンバート）し、ダウンリンク信号を生成することができる。変調器２３２ａ−２３２ｔからのＴダウンリンク信号は、それぞれ、Ｔアンテナ２３４ａ−２３４ｔを介して送信されることができる。
【００１６】
ＵＥ１２０で、Ｒアンテナ２５２ａ−２５２ｒは、ノードＢ１１０からＴダウンリンク信号を受信することができ、各アンテナ２５２は、受信された信号を、関連づけられた復調器（ＤＥＭＯＤ）２５４に対して提供することができる。各復調器２５４は、その受信された信号を条件づけ（例、フィルタ処理、増幅、ダウンコンバート、デジタル化）してサンプルを得ることができ、サンプル（例、ＯＦＤＭについて）をさらに処理して、受信されたシンボルを得ることができる。各復調器２５４は、受信されたデータシンボルをＭＩＭＯ検出器２６０に対して提供し、受信された参照シンボルをチャネルプロセッサ２９４に対して提供することができる。チャネルプロセッサ２９４は、受信された参照シンボルに基づいて、ｅＮＢ１１０からＵＥ１２０までのＭＩＭＯチャネルの応答および品質を推定することができる。チャネルプロセッサ２９４は、ＭＩＭＯ検出器２６０に対してＭＩＭＯチャネル推定を提供することができ、コントローラ／プロセッサ２９０に対してチャネル品質推定を提供することができる。ＭＩＭＯ検出器２６０は、ＭＩＭＯチャネル推定に基づいて、受信されたデータシンボルに対してＭＩＭＯ検出を実行し、検出されたシンボルを提供することができる。受信（ＲＸ）データプロセッサ２７０は、検出されたシンボルを処理（例、復調、復号）し、データシンク２７２に対してＵＥ１２０についての復号されたデータを提供することができる。
【００１７】
ＵＥ１２０は、チャネル状態を評価し、ＣＱＩおよび他の情報を含みうるフィードバック情報を生成することができる。データソース２７８からのデータおよびフィードバック情報は、ＴＸデータプロセッサ２８０によって処理（例、エンコード、変調）され、ＴＸ ＭＩＭＯプロセッサ２８２によって空間的に処理され、変調器２５４ａ−２５４ｒによってさらに処理されて、Ｒアップリンク信号を生成することができ、そしてそれは、アンテナ２５２ａ−２５２ｒを介して送信されることができる。ｅＮＢ１１０において、ＵＥ１２０からのＲアップリンク信号は、アンテナ２３４ａ−２３４ｔによって受信され、復調器２３２ａ−２３２ｔによって処理され、ＭＩＭＯ検出器２３６によって空間的に処理され、ＲＸデータプロセッサ２３８によってさらに処理（例、復調、復号）されて、ＵＥ１２０によって送られるデータおよびフィードバック情報を回復することができる。コントローラ／プロセッサ２４０は、フィードバック情報に基づいてＵＥ１２０へのデータ送信を制御することができる。回復されたデータは、データシンク２３９に対して提供されることができる。
【００１８】
コントローラ／プロセッサ２４０および２９０は、それぞれ、ｅＮＢ１１０およびＵＥ１２０におけるオペレーションを命令することができる。メモリ２４２および２９２は、それぞれ、ノードＢ１１０およびＵＥ１２０のためのデータおよびプログラムコードを保存することができる。スケジューラ２４４は、すべてのＵＥから受信されたフィードバック情報に基づいて、ダウンリンク上のデータ送信および／またはアップリンク上のデータ送信について、ＵＥ１２０および／または他のＵＥをスケジュールすることができる。
【００１９】
ｅＮＢ１１０は、ＵＥ１２０に対してＭＩＭＯチャネルのＬレイヤ上でデータを送信することができ、一般的にはＬ≧１である。レイヤは、送信に使用される空間チャネルとみなされることができる。使用に利用可能なレイヤ（Ｌ）の数は、ｅＮＢ１１０における送信アンテナ（Ｔ）の数、ＵＥ１２０における受信アンテナ（Ｒ）の数、チャネル状態、および／または他の因子のような様々な因子によって決まりうるものであり、Ｌ≦ｍｉｎ｛Ｔ，Ｒ｝と与えられる。
【００２０】
ｅＮＢ１１０は、ＵＥ１２０に対してＬレイヤで同時にＫコードワードを送信することができ、一般的にはＫ≧１である。各コードワードは、エンコードされ、そのコードワードについて選択された変調および符号化スキーム（modulation and coding scheme）（ＭＣＳ）に基づいてｅＮＢ１１０によって変調されることができる。各コードワードは、そのコードワードにおいて送られるデータを回復するためにＵＥ１２０によって別々に復号されることができる。表１は、空間多重化のためのＬＴＥによってサポートされるコードワード対レイヤ・マッピング(codeword-to-layer mapping)を示す。
【表１】
0005425936.tif 000002
【００２１】
ｅＮＢ１１０はまた、大きな遅延のサイクリック遅延ダイバーシチ（cyclic delay diversity）（ＣＤＤ）を使用して、ＵＥ１２０に対してデータを送信することができる。ＣＤＤの場合、位相ランプ（phase ramp）が複数のサブキャリアにわたって適用されることができ、異なる複数の位相ランプが異なる複数のレイヤに対して適用されることができる。各レイヤが異なる送信アンテナに対応する場合、複数のサブキャリアにわたって位相ランプを適用することは、その送信アンテナに選択された量だけ各送信アンテナについての各ＯＦＤＭシンボルの時間ドメインサンプルをサイクリックにシフトすることと同等でありえる、その際、異なる複数のサイクリックシフトが異なる複数の送信アンテナに適用される。周波数ドメインにおける位相ランプの大きさは、時間ドメインにおけるサイクリックシフトの量と関連する。大きな遅延のＣＤＤは、ダイバーシチを達成するために大きな位相ランプがＬ−１レイヤに適用されることを指しており（ゼロ位相ランプは第１のレイヤに適用される）、それは、データ送信の性能を改善することができる。
【００２２】
ｅＮＢ１１０は、下記のように、ＵＥ１２０へのデータ送信のために空間処理を実行することができる。
【数１】
0005425936.tif 000003
【００２３】
ｘ（ｋ）は、１つのシンボル期間におけるサブキャリアｋ上でＬレイヤを介して送られるべきＬデータシンボルを含んでいるＬ×１のベクトルである。
【００２４】
Ｕは、Ｌ×Ｌのレイヤ対仮想アンテナ・マッピング・マトリクスである。
【００２５】
Ｄ（ｋ）は、サブキャリアｋについてのＬ×ＬのＣＤＤマトリクスである。
【００２６】
Ｗ（ｋ）は、サブキャリアｋについてのＴ×Ｌのプレコーディングマトリクスである。
【００２７】
ｙ（ｋ）は、１つのシンボル期間におけるサブキャリアｋ上のＴ送信アンテナについてのＴ出力シンボルを含んでいるＴ×１のベクトルである。
【００２８】
ＵＥ１２０は、ｅＮＢ１１０からデータ送信を受信することができる。ＵＥ１２０における受信シンボルは、下記のように表されることができる。
【数２】
0005425936.tif 000004
【００２９】
Ｈ（ｋ）は、ｅＮＢ１１０からＵＥ１２０までのＭＩＭＯチャネルについてのＲ×Ｔのチャネルマトリクスである。
【００３０】
ｒ（ｋ）は、１つのシンボル期間におけるサブキャリアｋ上のＲ受信アンテナからのＲ受信シンボルを含んでいるＲ×１のベクトルである。
【００３１】
ｎ（ｋ）は、ＵＥ１２０によって観測された雑音および干渉のＲ×１のベクトルである。
【００３２】
ＵＥ１２０は、下記のように、受信されたシンボルについてＭＩＭＯ検出を実行することができる。
【数３】
0005425936.tif 000005
【００３３】
Ｍ（ｋ）は、サブキャリアｋについてのＬ×Ｒの空間フィルタマトリックスである。
【数４】
0005425936.tif 000006
【００３４】
は、検出されたシンボルのＬ×１のベクトルであり、そしてそれは、ｘ（ｋ）の推定値である。
【００３５】
ＵＥ１２０は、最小平均二乗誤差（ＭＭＳＥ）、ゼロフォーシング（zero-forcing）（ＺＦ）、最大比合成（maximal ratio combining）（ＭＲＣ）、または、当技術分野で知られている他の何らかのＭＩＭＯ検出技術、に基づいて空間フィルタマトリクスＭ（ｋ）を導出することができる。ＵＥ１２０は、サブキャリアｋについてのＲ受信シンボルとサブキャリアｋについての空間フィルタマトリクスＭ（ｋ）とに基づいて、送信に使用される各サブキャリアｋ上でＬレイヤについてのＬ検出シンボルを得ることができる。ＵＥ１２０は、ｅＮＢ１１０によって実行されるマッピングに相補的な方式で、ＬレイヤからＫコードワードへと、検出されたシンボルをデマッピングすることができる。ＵＥ１２０は、次いで、各コードワードについての検出されたシンボルを処理（例、復調、復号）して、コードワードにおいて送られたデータを回復することができる。
【００３６】
ＵＥ１２０はまた、連続干渉キャンセル（ＳＩＣ）を用いてＭＩＭＯ検出を実行することができる。この場合、ＵＥ１２０は、ＭＩＭＯ検出を（例えばＭＭＳＥに基づいて）実行して、１つのコードワードについての検出されたシンボルを得ることができる。ＵＥ１２０は、コードワードについての検出されたシンボルを処理して、復号されたデータを得ることができる。ＵＥ１２０は、回復されたコードワードに起因する干渉を推定することができ、受信されたシンボルから推定された干渉をキャンセルして、干渉キャンセルされたシンボル(interference-canceled symbols)を得ることができる。ＵＥ１２０は、次いで、次のコードワードについてのデータを回復するために、干渉キャンセルされたシンボル（受信されたシンボルの代わりに）に対して同じ処理を繰り返すことができる。ＳＩＣによって、後で回復される各コードワードは、より少ない干渉を経験することができ、したがって、より高い信号品質を観測することができる。信号品質およびチャネル品質という用語は互換性を持って使用されることができ、信号品質は、信号対雑音および干渉比（ＳＩＮＲ）または他の何らかのメトリックによって量子化されることができる。したがって、Ｌコードワードは、ＳＩＣを用いて異なる複数のＳＩＮＲを達成することができる。各コードワードのＳＩＮＲは、（ｉ）ＭＩＭＯ検出を用いたそのコードワードのＳＩＮＲ、（ｉｉ）コードワードが回復される特定の反復／ステージ、そして、（ｉｉｉ）まだ回復されていないコードワード（もしあれば）に起因する干渉、によって決まりうる。
【００３７】
明瞭にするために、下記の説明では、ＭＭＳＥ ＵＥは、大きな遅延のＣＤＤによって送信されるすべてのコードワードについて同様なＳＩＮＲを観測するＵＥである。ＳＩＣ対応のＵＥ（SIC-capable UE）は、大きな遅延のＣＤＤによって送信される異なる複数のコードワードについて異なる複数のＳＩＮＲを観測しうるＵＥである。空間多重化と大きな遅延のＣＤＤによる、複数のコードワードの所与の送信に関して、ＭＭＳＥ ＵＥは、これらのコードワードについて同様なＳＩＮＲを得ることができるのに対して、ＳＩＣ対応のＵＥは、これらのコードワードについて異なる複数のＳＩＮＲを得ることができる。この差は、ＭＭＳＥ ＵＥおよびＳＩＣ対応のＵＥによって使用される異なる複数の受信機処理技術に起因しうる。
【００３８】
表１で示される設計に関して、大きな遅延のＣＤＤが選択されるとき、２つのコードワードが、２つのレイヤ、３つのレイヤ、または４つのレイヤ上で送られることができる。ｅＮＢ１１０における大きな遅延のＣＤＤについての空間処理は、すべてのＬレイヤがＵＥ１２０において同様の受信ＳＩＮＲを達成するように、ダイバーシチを導入する。この場合、ＵＥ１２０は、単一のＣＱＩ（すなわち、単一のＣＱＩ値）を生成することができ、このＣＱＩをｅＮＢ１１０に対してフィードバックとして送ることができる。ｅＮＢ１１０は、ＣＱＩに基づいてＭＣＳを選択することができ、選択されたＭＣＳに基づいて２つのコードワードのそれぞれを処理することができる。
【００３９】
複数のコードワードについての単一のＣＱＩのフィードバックは、コードワードが同様なＳＩＮＲを観測するときに許容可能な性能を提供することができる。しかしながら、複数のコードワードが異なる複数のＳＩＮＲを観測しうる場合（例えばＳＩＣに起因する）、複数のコードワードについての単一のＣＱＩをどのように生成し解釈するかが不明確になりうる。
【００４０】
一態様では、複数のＣＱＩコンピューテーション方法がサポートされることができ、各ＣＱＩコンピューテーション方法は、ＣＱＩがどのようにコンピュートされるべきかを示すことができる。１つのＣＱＩコンピューテーション方法が使用のために選択されることができる。ＣＱＩは、選択されたＣＱＩコンピューテーション方法に従ってコンピュートされ報告されることができる。このことは、複数のコードワードについての単一のＣＱＩを生成し解釈することにおける不明確を回避することができる。
【００４１】
例示的な設計では、２つのＣＱＩコンピューテーション方法は、下記のように、サポートされることができる。
【００４２】
・第１のＣＱＩコンピューテーション方法−特定のコードワードについてのＣＱＩをコンピュートする
・第２のＣＱＩコンピューテーション方法−複数のレイヤにわたって平均することによってＣＱＩをコンピュートする
異なるおよび／または追加のＣＱＩコンピューテーション方法もまたサポートされることができる。
【００４３】
第１のＣＱＩコンピューテーション方法または第２のＣＱＩコンピューテーション方法は様々な方法で使用のために選択されることができる。一設計では、ｅＮＢ１１０は、ＵＥ機能、チャネル状態などのような様々な因子に基づいてＣＱＩコンピューテーション方法を選択することができる。ＵＥ機能は、ＳＩＣ機能、および／または異なる複数の複数のコードワードについて異なる複数のＣＱＩを結果としてもたらすことができる他の機能を含むことができる。例えば、ｅＮＢ１１０は、ＵＥ１２０がＳＩＣをサポートする場合には第１のＣＱＩコンピューテーション方法を選択することができ、ＵＥ１２０がＳＩＣをサポートしない場合には第２のＣＱＩコンピューテーション方法を選択することができる。ｅＮＢ１１０は、選択されたＣＱＩコンピューテーション方法をＵＥ１２０に対して送ることができ、ＵＥ１２０は、選択されたＣＱＩコンピューテーション方法とその機能にしたがってＣＱＩをコンピュートすることができる。
【００４４】
別の設計では、ＵＥ１２０は、ＣＱＩコンピューテーション方法を選択することができ、ｅＮＢ１１０に対して、選択されたＣＱＩコンピューテーション方法とその機能を送ることができる。ｅＮＢ１１０は、選択されたＣＱＩコンピューテーション方法とＵＥ機能に基づいて、ＵＥ１２０からＣＱＩを解釈することができる。
【００４５】
第１のＣＱＩコンピューテーション方法の場合、ＣＱＩがそれについてコンピュートされる特定のコードワードは、様々な方法で決定されることができる。第１の設計では、特定のコードワードは、標準において指定されることができ、ｅＮＢ１１０とＵＥ１２０の双方によってアプリオリで知られることができる。例えば、特定のコードワードは、第１のコードワードでありうる。第２の設計では、特定のコードワードは、１つのエンティティによって選択されることができ、他のエンティティに対してシグナリングされることができる。例えば、ｅＮＢ１１０は、第１のコードワードもしくは第２のコードワード、または他の何らかのコードワードについてのＣＱＩフィードバックを選択することができ、選択されたコードワードをＵＥ１２０に対してシグナリングすることができる。あるいは、ＵＥ１２０は、特定のコードワードを選択することができ、選択されたコードワードをｅＮＢ１１０に対してシグナリングすることができる。第２の設計は、同時に送られている複数のコードワードのうち、より関心の高い特定のコードワードについてのＣＱＩのコンピューテーションおよびフィードバックを可能にする。第３の設計では、特定のコードワードは、時間とともに、例えば、予め決定されたパターンに基づいて、変化しうる。例えば、ＣＱＩは、例えば１つのＣＱＩ報告期間で第１のコードワードについて、そのあとで次のＣＱＩ報告期間で第２のコードワードについて、そのあとで次のＣＱＩ報告期間で第１のコードワードについて、などのように２つのコードワードについて交互にコンピュートされ報告されることができる。第３の設計は、時分割多重（ＴＤＭ）方式で、異なる複数のコードワードについてのＣＱＩのコンピューテーションおよびフィードバックを可能にすることができる。第３の設計は、相対的に静的なチャネルに特に適用可能でありうる。
【００４６】
第１のＣＱＩコンピューテーション方法の場合、ＭＭＳＥ ＵＥは、コードワードに使用されるすべてのレイヤ（１つまたは複数）のＳＩＮＲに基づいて特定のコードワードについてのＣＱＩをコンピュートすることができる。ＭＭＳＥ ＵＥは、大きな遅延のＣＤＤによるすべてのレイヤについて同様なＳＩＮＲを観測することができる。しかしながら、ＭＭＳＥ ＵＥは、特定のコードワードに使用されるレイヤ（１つまたは複数）だけのＳＩＮＲに基づいて、ＣＱＩをコンピュートすることができる。
【００４７】
第１のＣＱＩコンピューテーション方法の場合、ＳＩＣ対応のＵＥは、コードワードに使用されるすべてのレイヤ（１つまたは複数）のＳＩＮＲに基づいて特定のコードワードについてのＣＱＩをコンピュートすることができる。ＳＩＣ対応のＵＥは、大きな遅延のＣＤＤによる場合でも、異なる複数のコードワードに使用される異なる複数のレイヤについて異なる複数のＳＩＮＲを観測することができる。ＳＩＣ対応のＵＥは、コードワードに使用されるレイヤ（１つまたは複数）だけのＳＩＮＲに基づいて特定のコードワードについてのＣＱＩをコンピュートすることができる。特定のコードワードが復号されるべき第１のコードワードである場合には、ＳＩＣ対応のＵＥは、第１のコードワードに関してインパクトを有していないＳＩＣを用いて、第１のコードワードに使用されるレイヤ（１つまたは複数）に基づいてＣＱＩをコンピュートすることができる。特定のコードワードが復号されるべき第２のコードワードである場合には、ＳＩＣ対応のＵＥは、第１のコードワードに干渉キャンセルを適用した後で第２のコードワードに使用されるレイヤ（１つまたは複数）に基づいてＣＱＩをコンピュートすることができる。したがって、ＳＩＣは、第１のコードワードを除いた各コードワードのＣＱＩに対してインパクトを有することができる。第１のコードワードは、残りの各コードワードよりも、ＳＩＮＲにおけるより少ない変動を観測することができる。したがって、残りの各コードワードよりもより精確なＣＱＩが、第１のコードワードについて得られることができる。
【００４８】
第２のＣＱＩコンピューテーション方法の場合、ＭＭＳＥ ＵＥは、送信に使用されるすべてのレイヤにわたってＳＩＮＲを平均することによってＣＱＩをコンピュートすることができる。ＭＭＳＥ ＵＥは、大きな遅延のＣＤＤによるすべてのレイヤについて同様なＳＩＮＲを観測することができる。ＭＭＳＥ ＵＥは、すべてのレイヤにわたってＳＩＮＲを平均することによって、より精確なＣＱＩを得ることができる。より精確なＣＱＩは、データ伝送の性能を改善することができる。
【００４９】
第２のＣＱＩコンピューテーション方法の場合、ＳＩＣ対応のＵＥは、様々な方法ですべてのレイヤにわたってＳＩＮＲを平均することができる。一設計では、ＳＩＣ対応のＵＥは、ＳＩＣを適用して複数のレイヤにわたってＳＩＮＲを平均することができる。一例として、２つのコードワードが３つのレイヤ上で送られることができ、その際、第１のコードワードはレイヤ１上で送られ、第２のコードワードはレイヤ２とレイヤ３上で送られる。ＳＩＣ対応のＵＥは、レイヤ１についてはＳＩＮＲ Ｘ、レイヤ２とレイヤ３のそれぞれについてはＳＩＮＲ Ｙを得ることができ、ＸとＹは、デシベル（ｄＢ）単位でありうる。これで、平均ＳＩＮＲ Ｚは、Ｚ＝（Ｘ＋２Ｙ）／３としてコンピュートされることができる。あるいは、平均ＳＩＮＲ Ｚは、３つのレイヤによってサポートされるデータレートに基づいてコンピュートされることもできる。ＳＩＮＲ ｘに対応しているサポートされるデータレートがｆ（ｘ）と表される場合、上記の例における３つのレイヤについての全体的なデータレートは、Ｃ＝ｆ（Ｘ）＋２ｆ（Ｙ）として与えられる。平均ＳＩＮＲは、
【数５】
0005425936.tif 000007
【００５０】
によって与えられ、なお、
【数６】
0005425936.tif 000008
【００５１】
は、
【数７】
0005425936.tif 000009
【００５２】
の逆関数（inverse function）である。平均することはまた、他の方式で実行されることができる。いずれの場合においても、ＣＱＩは平均ＳＮＲ  Ｚに基づいて決定されることができる。別の設計では、ＳＩＣ対応のＵＥは、ＳＩＣを適用せずに複数のレイヤにわたってＳＩＮＲを平均することができる。この設計では、ＳＩＣを適用せずにＳＩＣ対応のＵＥによって得られる平均ＳＩＮＲは、ＭＭＳＥ ＵＥによって得られる平均ＳＩＮＲと同様となりうる。
【００５３】
表２は、第１のＣＱＩコンピューテーション方法と第２のＣＱＩコンピューテーション方法についてのＳＩＣ対応のＵＥとＭＭＳＥ ＵＥによるＣＱＩコンピューテーション方法を要約している。
【表２】
0005425936.tif 000010
【００５４】
表２で示されているように、各ＣＱＩコンピューテーション方法について、ＳＩＣ対応のＵＥは、いくつかの方式のうちの１つでＣＱＩをコンピュートすることができる。ＳＩＣを用いた第２のコードワードの実際のＣＱＩおよび／または第１のコードワードの実際のＣＱＩは、コンピュートされたＣＱＩとは異なりうる。一設計では、各コードワードの実際のＣＱＩまたはＳＩＮＲとコンピュートされたＣＱＩまたはＳＩＮＲとの間の差は、ＳＩＣ対応のＵＥによって推定されることができ、ｅＮＢに対して、例えば１度のみまたは遅いレートで、報告されることができる。差は、相対的に静的でありえ、コンピュートされたＣＱＩに基づいて各コードワードの実際のＣＱＩをｅＮＢが推定することを可能にすることができる。別の設計では、ｅＮＢは、（ｉ）各コードワードの実際のＣＱＩまたはＳＩＮＲとコンピュートされたＣＱＩまたはＳＩＮＲとの間の差を推定することができる、および／または（ｉｉ）コードワードを処理するときにこの差を考慮する（account for）ことができる。
【００５５】
ｅＮＢ１１０は、ＵＥ１２０から複数のコードワードについて単一のＣＱＩを受信することができる。ｅＮＢ１１０は、どのＣＱＩコンピューテーション方法が使用のために選択されるか、ＵＥ１２０の機能（例えば、ＵＥ１２０がＭＭＳＥ ＵＥであるか、またはＳＩＣ対応のＵＥであるか）、どの特定のコードワードが選択されるか（適用可能な場合）、および／または他の因子に応じて、様々な方式でデータを処理し送信することができる。
【００５６】
ＵＥ１２０がＭＭＳＥ ＵＥである場合、ＵＥ１２０から受信されたＣＱＩは、第１のＣＱＩコンピューテーション方法または第２のＣＱＩコンピューテーション方法が選択されるかどうかに関らず、各コードワードによって達成されるＳＩＮＲを示すことができる。ｅＮＢ１１０は、受信されたＣＱＩに基づいてＭＣＳを選択し、選択されたＭＣＳに基づいて各コードワードを処理（例、エンコード、変調）し、ＵＥ１２０に対して各コードワードを送ることができる。
【００５７】
ＵＥ１２０がＳＩＣ対応のＵＥである場合、ＵＥ１２０から受信されたＣＱＩは、異なる複数の方式で解釈されることができる。第１のＣＱＩコンピューテーション方法が選択される場合、ＵＥ１２０は、ＳＩＣを用いて第１のコードワードまたは第２のコードワードについてのＣＱＩをコンピュートすることができる。ＣＱＩが第１のコードワードについてのものである場合、ｅＮＢ１１０は、受信されたＣＱＩに基づいて第１のコードワードについてのＭＣＳを選択することができ、選択されたＭＣＳに基づいてこのコードワードを処理することができる。第２のコードワードは、第１のコードワードよりも高いＳＩＮＲを観測することができる。ｅＮＢ１１０はまた、第２のコードワードについて、選択されたＭＣＳを使用することができる。あるいは、ｅＮＢ１１０は、第２のコードワードについて、より高いＳＩＮＲに対応する別のＭＣＳを使用することもできる。ＣＱＩが第２のコードワードについてのものである場合、ｅＮＢ１１０は、受信されたＣＱＩに基づいて第２のコードワードについてのＭＣＳを選択することができ、選択されたＭＣＳに基づいてこのコードワードを処理することができる。第１のコードワードは、第２のコードワードよりも低いＳＩＮＲを観測することができる。ｅＮＢ１１０はまた、第１のコードワードについて、選択されたＭＣＳを使用することができる。あるいは、ｅＮＢ１１０は、第１のコードワードについて、より低いＳＩＮＲに対応する別のＭＣＳを使用することもできる。
【００５８】
ＵＥ１２０がＳＩＣ対応のＵＥであり第２のＣＱＩコンピューテーション方法が選択される場合、ＵＥ１２０は、ＳＩＣを用いてまたはＳＩＣを用いずに複数のレイヤにわたってＳＩＮＲを平均することによってＣＱＩをコンピュートすることができる。ＵＥ１２０がＳＩＣを用いずにＳＩＮＲを平均する場合、ＣＱＩは、第１のコードワードのＳＩＮＲを反映することができる。ｅＮＢ１１０は、受信されたＣＱＩに基づいて第１のコードワードについてのＭＣＳを選択することができ、選択されたＭＣＳに基づいてこのコードワードを処理することができる。第２のコードワードは、第１のコードワードよりも高いＳＩＮＲを観測することができる。ｅＮＢ１１０は、第２のコードワードについて、選択されたＭＣＳ、またはより高いＳＩＮＲに対応する別のＭＣＳを使用することができる。ＵＥ１２０がＳＩＣを用いてＳＩＮＲを平均する場合には、ＣＱＩは、第１のコードワードのＳＩＮＲの楽観的推定値、そして、第２のコードワードのＳＩＮＲの悲観的推定値でありうる。ｅＮＢ１１０は、受信されたＣＱＩに基づいてＭＣＳを選択することができ、選択されたＭＣＳ、またはより低いＳＩＮＲについての別のＭＣＳに基づいて、第１のコードワードを処理することができる。ｅＮＢ１１０は、選択されたＭＣＳ、またはより高いＳＩＮＲについての別のＭＣＳに基づいて、第２のコードワードを処理することができる。ｅＮＢ１１０はまた、他の方式で、各コードワードについてのＭＣＳを選択することができる。
【００５９】
ｅＮＢ１１０は、ハイブリッド自動再送信（hybrid automatic retransmission）（ＨＡＲＱ）を用いて、ＵＥ１２０に対して１以上のコードワードを送信することができる。ＨＡＲＱの場合、ｅＮＢ１１０は、コードワードがＵＥ１２０によって正しく復号されるまたは他の何らかの終了状態に出くわすまで、コードワードの１以上の送信を送ることができる。コードワードの各送信について、ＵＥ１２０は、コードワードが正確に復号される場合にはアクナレッジメント（ＡＣＫ）を送ることができ、コードワードが誤って復号される場合にはネガティブアクナレッジメント（ＮＡＣＫ）を送ることができる。ｅＮＢ１１０は、ＡＣＫが受信される場合にはコードワードの別の送信を送ることができ、ＮＡＣＫが受信される場合にはコードワードの送信を終了することができる。ｅＮＢ１１０は、ＵＥ１２０に対して複数のコードワードを送信することができ、ターゲット終了とも呼ばれうる特定数の送信の後で十分に高い確率ですべてのコードワードが終了するように、各コードワードについてのＭＣＳを選択することができる。
【００６０】
図３は、通信ネットワークにおいて、ＣＱＩをコンピュートし報告しデータを受信するためのプロセス３００の一設計を示す。プロセス３００は、ＵＥ（後述する）、または他の何らかのエンティティによって実行されることができる。ＵＥは、ＣＱＩをコンピュートするための選択される方法を得ることができ、該選択される方法は、ＣＱＩをコンピュートするのに利用可能な複数の方法から選ばれる（ブロック３１２）。選択される方法は、（ｉ）基地局によって選ばれ、ＵＥに対してシグナリングされる、または、（ｉｉ）ＵＥによって選ばれ、基地局に対してシグナリングされることができる。選択される方法は、ＵＥの受信機処理機能（例、ＵＥがＳＩＣをサポートするか否か）、および／または他の因子に基づいて選ばれることができる。ＵＥは、その機能（例、そのＳＩＣ機能）を基地局に対してシグナリングすることができる。
【００６１】
複数の方法は、（ｉ）異なる複数のコードワードに使用されるレイヤにわたって信号品質を平均することなくＣＱＩをコンピュートするための第１の方法と、（ｉｉ）異なる複数のコードワードに使用されるレイヤにわたって信号品質を平均することによってＣＱＩをコンピュートするための第２の方法と、を含むことができる。複数の方法はまた、ＣＱＩをコンピュートするための他の方法を具備することができる。
【００６２】
ＵＥは、選択される方法にしたがってＣＱＩをコンピュートすることができる（ブロック３１４）。一設計において、選択される方法は、複数のコードワードの中の特定のコードワードについてのＣＱＩを指定することができる。特定のコードワードは、複数のコードワードの中の復号されるべき第１のコードワード（または他の何らかのコードワード）でありうる。特定のコードワードはまた、（ｉ）基地局によって決定され、ＵＥに対してシグナリングされる、または、（ｉｉ）ＵＥによって決定され、基地局に対してシグナリングされる。いずれの場合においても、ＵＥは、その受信機処理機能に基づいて特定のコードワードについてのＣＱＩをコンピュートすることができる。ＵＥがＳＩＣをサポートする場合、ＵＥは、（ｉ）特定のコードワードが第１のコードワードである場合には干渉キャンセルを用いずにＣＱＩをコンピュートすることができ、または（ｉｉ）特定のコードワードが第２のコードワードである場合には干渉キャンセルを用いてＣＱＩをコンピュートすることができる。その機能に関らず、ＵＥは、特定のコードワードに使用される少なくとも１つのレイヤの信号品質を決定することができ、少なくとも１つのレイヤの信号品質に基づいて特定のコードワードについてのＣＱＩをコンピュートすることができる。ＵＥは、複数のコードワードについて同様なＣＱＩを有することができ（その受信機処理機能および／または基地局による空間処理に起因する）、特定のコードワードのみについてＣＱＩをコンピュートすることができる。あるいは、ＵＥは、複数のコードワードについて異なる複数のＣＱＩを有することができ、特定のコードワードのみについてＣＱＩをコンピュートすることができる。
【００６３】
別の設計では、選択される方法は、送信に使用される複数のレイヤにわたって信号品質を平均することによって、ＣＱＩコンピューテーションを指定することができる。この場合、ＵＥは、その受信機処理機能に基づいて複数のレイヤの信号品質を決定することができる。ＵＥは、次いで、複数のレイヤの信号品質の平均に基づいてＣＱＩをコンピュートすることができる。ＵＥがＳＩＣをサポートする場合には、ＵＥは、干渉キャンセルを用いずに第１のコードワードに使用される少なくとも１つのレイヤの信号品質を決定し、干渉キャンセルを用いて第２のコードワードに使用される少なくとも１つの追加のレイヤの信号品質を決定することができる。
【００６４】
ＵＥは、基地局に対してＣＱＩを送ることができる（ブロック３１６）。ＵＥは、その後で、ＣＱＩに基づいて基地局によって送られたデータ（例、複数のコードワード）を受信することができる（ブロック３１８）。
【００６５】
図４は、通信ネットワークにおいて、ＣＱＩをコンピュートし報告しデータを受信するための装置４００の一設計を示す。装置４００は、ＣＱＩをコンピュートするための選択される方法を得るモジュール４１２、ここで、該選択される方法は、ＣＱＩをコンピュートするのに利用可能な複数の方法から選ばれる；該選択される方法にしたがってＣＱＩをコンピュートするモジュール４１４；基地局に対してＵＥからＣＱＩを送るモジュール４１６；およびＣＱＩに基づいてＵＥに対して基地局によって送られたデータを受信するモジュール４１８；を含む。
【００６６】
図５は、通信ネットワークにおいて、ＣＱＩを受信しデータを送信するためのプロセス５００の一設計を示す。プロセス５００は、基地局／ｅＮＢ（後述する）、または他の何らかのエンティティによって実行されることができる。基地局は、ＵＥによってＣＱＩをコンピュートするための選択される方法を決定することができ、その選択される方法は、ＣＱＩをコンピュートするのに利用可能な複数の方法から選ばれる（ブロック５１２）。選択される方法は、（ｉ）基地局によって選ばれ、ＵＥに対してシグナリングされる、または、（ｉｉ）ＵＥによって選ばれ、基地局に対してシグナリングされることができる。基地局は、選択される方法にしたがってＵＥによってコンピュートされたＣＱＩを受信することができる（ブロック５１４）。基地局は、受信されたＣＱＩに基づいて、ＵＥに対してデータを送ることができる（ブロック５１６）。
【００６７】
一設計において、選択される方法は、複数のコードワードの中の特定のコードワードについてのＣＱＩコンピューテーションを指定することができる。受信されたＣＱＩは、特定のコードワードについてのものでありうる。ＵＥは、例えばその機能および／または基地局による空間処理に起因して、複数のコードワードについて同様な信号品質を観測することができる。ブロック５１６について、基地局は、受信されたＣＱＩに基づいてＭＣＳを決定することができ、ＭＣＳに基づいて複数のコードワードのそれぞれを処理することができる。あるいは、ＵＥは、例えばそのＳＩＣ機能および／または基地局による空間処理に起因して、複数のコードワードについて異なる複数の信号品質を観測することができる。ブロック５１６について、基地局は、受信されたＣＱＩに基づいて特定のコードワードについてＭＣＳを決定し、受信されたＣＱＩに基づいて別のコードワードについて別のＭＣＳを決定し、そのコードワードについてのＭＣＳに基づいて各コードワードを処理することができる。２つのＭＣＳは、異なるものでありえ、上述のように選択されることができる。
【００６８】
別の設計では、選択される方法は、送信に使用される複数のレイヤにわたって信号品質を平均することによって、ＣＱＩコンピューテーションを指定することができる。ブロック５１６について、基地局は、受信されたＣＱＩに基づいて、複数のコードワードについて少なくとも１つのＭＣＳを決定することができる。基地局は、次いで、少なくとも１つのＭＣＳに基づいて複数のコードワードを処理することができる。ＵＥが複数のコードワードについて同様な信号品質を観測する場合には、基地局は、受信されたＣＱＩに基づいて単一のＭＣＳを決定することができ、ＭＣＳに基づいて各コードワードを処理することができる。ＵＥが複数のコードワードについて異なる複数の信号品質を観測する場合、基地局は、上述のように、受信されたＣＱＩに基づいて各コードワードについてＭＣＳを決定することができ、そのコードワードについてのＭＣＳに基づいて各コードワードを処理することができる。
【００６９】
図６は、通信ネットワークにおいて、ＣＱＩを受信しデータを送信するための装置６００の一設計を示す。装置６００は、ＣＱＩをコンピュートするための選択される方法を決定するモジュール６１２、ここで、該選択される方法は、ＣＱＩをコンピュートするのに利用可能な複数の方法から選ばれる；該選択される方法にしたがってＵＥによってコンピュートされたＣＱＩを受信するモジュール６１４；および該受信されたＣＱＩに基づいてＵＥに対して基地局からデータを送るモジュール６１６；を含む。
【００７０】
図４および図６のモジュールは、プロセッサ、電子デバイス、ハードウェアデバイス、電子コンポーネント、論理回路、メモリ、ソフトウェアコード、ファームウェアコード等、またはそれらのいずれかの組み合わせを具備することができる。
【００７１】
当業者は、情報と信号が様々な異なる技術および技法のうちいずれかを使用して表わされることができるということを理解するであろう。例えば、上記の説明の全体にわたって参照されうる、データ、命令、コマンド、情報、信号、ビット、シンボル、およびチップは、電圧、電流、電磁波、磁場もしくは磁粒子、光場もしくは光学粒子、またはそれらのいずれかの組み合わせ、によって表わされることができる。
【００７２】
当業者は、ここにおける開示に関連して記載された、様々な例示的な論理ブロック、モジュール、回路、およびアルゴリズムステップが、電子ハードウェア、コンピュータソフトウェア、または両方の組合せとしてインプリメントされうる、ということをさらに理解するであろう。ハードウェアおよびソフトウェアのこの互換性を明瞭に説明するために、様々な例示的なコンポーネント、ブロック、モジュール、回路およびステップが、以上でそれらの機能の点で大まかに説明された。そのような機能が、ハードウェアあるいはソフトウェアとしてインプリメントされるかどうかは、特定のアプリケーションと全体的なシステムに課された設計制約とによって決まる。当業者は、特定のアプリケーションそれぞれについて様々な方法で、説明された機能をインプリメントすることができるが、そのようなインプリメンテーションの決定は、この開示の範囲からの逸脱を生じさせるものとして解釈されるべきでない。
【００７３】
ここにおける開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは他のプログラマブル論理回路、ディスクリートゲートもしくはトランジスタロジック、ディスクリートハードウェアコンポーネント、または、ここにおいて説明された機能を実行するように設計されたそれらのいずれかの組み合わせ、でインプリメントされる、または実行されることができる。汎用プロセッサは、マイクロプロセッサであることができるが、代替として、プロセッサは、任意の従来のプロセッサ、コントローラ、マイクロコントローラ、またはステートマシンであってもよい。プロセッサはまた、コンピューティングデバイスの組み合わせ、例えば、ＤＳＰとマイクロプロセッサとの組み合わせ、複数のマイクロプロセッサ、ＤＳＰコアと併用しての１以上のマイクロプロセッサ、またはいずれか他のそのような構成、としてインプリメントされてもよい。
【００７４】
ここにおける開示に関連して説明された方法またはアルゴリズムのステップは、直接ハードウェアにおいて、プロセッサによって実行されたソフトウェアモジュールにおいて、あるいは２つの組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。プロセッサと記憶媒体は、ＡＳＩＣに常駐してもよい。ＡＳＩＣは、ユーザ端末に常駐してもよい。代替的に、プロセッサと記憶媒体は、ディスクリートコンポーネントとしてユーザ機器に常駐してもよい。
【００７５】
１つまたは複数の例示的な設計では、記載された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、記憶されてもよく、あるいは、送信されることができる。コンピュータ可読媒体は、１つの場所から別の場所へのコンピュータプログラムの転送を容易にする任意の媒体を含んでいる通信媒体とコンピュータ記憶媒体の両方を含む。記憶媒体は、汎用コンピュータまたは専用コンピュータによってアクセスされることができる、いずれの利用可能な媒体であることができる。限定ではなく例として、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコード手段を保存あるいは搬送するために使用されることができる、また、汎用または専用コンピュータ、または、汎用または専用プロセッサによってアクセスされることができる、任意の他の媒体を具備することができる。また、いずれの接続もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体（medium）の定義に含まれる。ここに使用されるように、ディスク（disk）とディスク（disc）は、コンパクトディスク(compact disc)（ＣＤ）、レーザーディスク（登録商標）(laser disc)、光学ディスク(optical disc)、デジタル汎用ディスク(digital versatile disc)（ＤＶＤ）、フロッピー（登録商標）ディスク（disk）およびブルーレイディスク(blu-ray disc)を含んでおり、「ディスク（disks）」は大抵データを磁気で再生しているが、「ディスク（discs）」はレーザーで光学的に再生する。上記の組み合わせはまた、コンピュータ可読媒体の範囲内に含まれるべきである。
【００７６】
本開示の前述されている説明は、当業者が本開示を行うまたは使用することを可能にするために提供されている。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて記載される例および設計に限定されるようには意図されていないが、ここに開示された原理および新規な特徴に整合する最も広い範囲が与えられるべきである。
以下に、出願当初の特許請求の範囲に記載された発明を付記する。
［Ｃ１］
下記を具備する、ワイヤレス通信のための方法：
チャネル品質インジケーション（ＣＱＩ）をコンピュートするための選択される方法を得ること、前記選択される方法は、ＣＱＩをコンピュートするのに利用可能な複数の方法から選ばれる；
前記選択される方法にしたがってＣＱＩをコンピュートすること；および
基地局に対してユーザ機器（ＵＥ）から前記ＣＱＩを送ること。
［Ｃ２］
前記複数の方法は、異なる複数のコードワードに使用される複数のレイヤにわたって信号品質を平均することなくＣＱＩをコンピュートするための第１の方法と、異なる複数のコードワードに使用される複数のレイヤにわたって信号品質を平均することによってＣＱＩをコンピュートするための第２の方法と、を含む、Ｃ１に記載の方法。
［Ｃ３］
前記選択される方法は、複数のコードワードの中の特定のコードワードについてのＣＱＩをコンピュートするためのものである、Ｃ１に記載の方法。
［Ｃ４］
前記特定のコードワードは、前記複数のコードワードの中の第１のコードワードである、Ｃ３に記載の方法。
［Ｃ５］
ＣＱＩを前記コンピュートすることは、前記ＵＥの受信機処理機能に基づいて前記特定のコードワードについてのＣＱＩをコンピュートすることを具備する、Ｃ３に記載の方法。
［Ｃ６］
Ｃ３に記載の方法、ここにおいて、前記ＵＥは、連続干渉キャンセル（ＳＩＣ）をサポートし、ＣＱＩを前記コンピュートすることは、下記を具備する：
前記特定のコードワードが前記複数のコードワードの中の第１のコードワードである場合には干渉キャンセルを用いずにＣＱＩをコンピュートすること、および
前記特定のコードワードが前記複数のコードワードの中の第２のコードワードである場合には干渉キャンセルを用いてＣＱＩをコンピュートすること。
［Ｃ７］
Ｃ３に記載の方法、ここにおいて、ＣＱＩを前記コンピュートすることは、下記を具備する：
前記特定のコードワードに使用される少なくとも１つのレイヤの信号品質を決定すること、および
前記特定のコードワードに使用される前記少なくとも１つのレイヤの前記信号品質に基づいて前記特定のコードワードについてのＣＱＩをコンピュートすること。
［Ｃ８］
前記選択される方法は、送信に使用される複数のレイヤにわたって信号品質を平均することによってＣＱＩをコンピュートするためのものである、Ｃ１に記載の方法。
［Ｃ９］
Ｃ８に記載の方法、ここにおいて、ＣＱＩを前記コンピュートすることは、下記を具備する：
前記ＵＥの受信機処理機能に基づいて前記複数のレイヤの複数の信号品質を決定すること、および
前記複数のレイヤの前記複数の信号品質の平均に基づいてＣＱＩをコンピュートすること。
［Ｃ１０］
Ｃ９に記載の方法、ここにおいて、前記ＵＥは、連続干渉キャンセル（ＳＩＣ）をサポートし、前記複数のレイヤの前記複数の信号品質を前記決定することは、下記を具備する：
干渉キャンセルを用いずに第１のコードワードに使用される少なくとも１つのレイヤの信号品質を決定すること、および
干渉キャンセルを用いて第２のコードワードに使用される少なくとも１つの追加のレイヤの信号品質を決定すること。
［Ｃ１１］
下記をさらに具備する、Ｃ１に記載の方法：
前記ＣＱＩに基づいて前記ＵＥに対して前記基地局によって送られた複数のコードワードを受信すること。
［Ｃ１２］
下記を具備する、ワイヤレス通信のための装置：
チャネル品質インジケーション（ＣＱＩ）をコンピュートするための選択される方法を得るための手段、前記選択される方法は、ＣＱＩをコンピュートするのに利用可能な複数の方法から選ばれる；
前記選択される方法にしたがってＣＱＩをコンピュートするための手段；および
基地局に対してユーザ機器（ＵＥ）から前記ＣＱＩを送るための手段。
［Ｃ１３］
Ｃ１２に記載の装置、ここにおいて、前記選択される方法は、複数のコードワードの中の特定のコードワードについてのＣＱＩをコンピュートするためのものであり、ＣＱＩをコンピュートするための前記手段は、下記を具備する：
前記ＵＥの受信機処理機能に基づいて前記特定のコードワードについてのＣＱＩをコンピュートするための手段。
［Ｃ１４］
Ｃ１３に記載の装置、ここにおいて、前記ＵＥは、連続干渉キャンセル（ＳＩＣ）をサポートし、ＣＱＩをコンピュートするための前記手段は、下記を具備する：
前記特定のコードワードが前記複数のコードワードの中の第１のコードワードである場合には干渉キャンセルを用いずにＣＱＩをコンピュートするための手段、および
前記特定のコードワードが前記複数のコードワードの中の第２のコードワードである場合には干渉キャンセルを用いてＣＱＩをコンピュートするための手段。
［Ｃ１５］
Ｃ１２に記載の装置、ここにおいて、前記選択される方法は、送信に使用される複数のレイヤにわたって信号品質を平均することによってＣＱＩをコンピュートするためのものであり、ＣＱＩをコンピュートするための前記手段は、下記を具備する：
前記ＵＥの受信機処理機能に基づいて前記複数のレイヤの複数の信号品質を決定するための手段、および
前記複数のレイヤの前記複数の信号品質の平均に基づいてＣＱＩをコンピュートするための手段。
［Ｃ１６］
Ｃ１５に記載の装置、ここにおいて、前記ＵＥは、連続干渉キャンセル（ＳＩＣ）をサポートし、前記複数のレイヤの前記複数の信号品質を決定するための前記手段は、下記を具備する：
干渉キャンセルを用いずに第１のコードワードに使用される少なくとも１つのレイヤの信号品質を決定するための手段、および
干渉キャンセルを用いて第２のコードワードに使用される少なくとも１つの追加のレイヤの信号品質を決定するための手段。
［Ｃ１７］
下記を具備する、ワイヤレス通信のための装置：
チャネル品質インジケーション（ＣＱＩ）をコンピュートするための選択される方法を得るように構成された少なくとも１つのプロセッサ、前記選択される方法は、ＣＱＩをコンピュートするのに利用可能な複数の方法から選ばれる；前記少なくとも１つのプロセッサはさらに、前記選択される方法にしたがってＣＱＩをコンピュートし、基地局に対してユーザ機器（ＵＥ）から前記ＣＱＩを送るように構成される。
［Ｃ１８］
前記選択される方法は、複数のコードワードの中の特定のコードワードについてのＣＱＩをコンピュートするためのものであり、前記少なくとも１つのプロセッサは、前記ＵＥの受信機処理機能に基づいて前記特定のコードワードについてのＣＱＩをコンピュートするように構成される、Ｃ１７に記載の装置。
［Ｃ１９］
前記ＵＥは、連続干渉キャンセル（ＳＩＣ）をサポートし、前記少なくとも１つのプロセッサは、前記特定のコードワードが前記複数のコードワードの中の第１のコードワードである場合には干渉キャンセルを用いずにＣＱＩをコンピュートするように、前記特定のコードワードが前記複数のコードワードの中の第２のコードワードである場合には干渉キャンセルを用いてＣＱＩをコンピュートするように、構成される、Ｃ１８に記載の装置。
［Ｃ２０］
前記選択される方法は、送信に使用される複数のレイヤにわたって信号品質を平均することによってＣＱＩをコンピュートするためのものであり、前記少なくとも１つのプロセッサは、前記ＵＥの受信機処理機能に基づいて前記複数のレイヤの複数の信号品質を決定するように、そして、前記複数のレイヤの前記複数の信号品質の平均に基づいてＣＱＩをコンピュートするように、構成される、Ｃ１７に記載の装置。
［Ｃ２１］
前記ＵＥは、連続干渉キャンセル（ＳＩＣ）をサポートし、前記少なくとも１つのプロセッサは、干渉キャンセルを用いずに第１のコードワードに使用される少なくとも１つのレイヤの信号品質を決定するように、そして、干渉キャンセルを用いて第２のコードワードに使用される少なくとも１つの追加のレイヤの信号品質を決定するように、構成される、Ｃ２０に記載の装置。
［Ｃ２２］
下記を具備するコンピュータプログラムプロダクト：
下記を具備する、コンピュータ可読媒体：
チャネル品質インジケーション（ＣＱＩ）をコンピュートするための選択される方法を得ることを、少なくとも１つのプロセッサにさせるためのコード、前記選択される方法は、ＣＱＩをコンピュートするのに利用可能な複数の方法から選ばれる；
前記選択される方法にしたがってＣＱＩをコンピュートすることを、前記少なくとも１つのプロセッサにさせるためのコード；および
基地局に対してユーザ機器（ＵＥ）から前記ＣＱＩを送ることを、前記少なくとも１つのプロセッサにさせるためのコード。
［Ｃ２３］
下記を具備する、ワイヤレス通信のための方法：
チャネル品質インジケーション（ＣＱＩ）をコンピュートするための選択される方法を決定すること、前記選択される方法は、ＣＱＩをコンピュートするのに利用可能な複数の方法から選ばれる；
前記選択される方法にしたがってユーザ機器（ＵＥ）によってコンピュートされるＣＱＩを受信すること；および
前記受信されたＣＱＩに基づいて前記ＵＥに対して基地局からデータを送ること。
［Ｃ２４］
前記選択される方法は、複数のコードワードの中の特定のコードワードについてのＣＱＩをコンピュートするためのものであり、前記受信されたＣＱＩは、前記特定のコードワードについてのものである、Ｃ２３に記載の方法。
［Ｃ２５］
Ｃ２４に記載の方法、ここにおいて、前記ＵＥは、前記複数のコードワードについて同様な複数の信号品質を観測し、データを前記送ることは下記を具備する：
前記受信されたＣＱＩに基づいて変調および符号化スキーム（ＭＣＳ）を決定すること、ならびに
前記ＭＣＳに基づいて前記複数のコードワードのそれぞれを処理すること。
［Ｃ２６］
Ｃ２４に記載の方法、ここにおいて、前記ＵＥは、前記複数のコードワードについて異なる複数の信号品質を観測し、データを前記送ることは下記を具備する：
前記受信されたＣＱＩに基づいて前記特定のコードワードについて変調および符号化スキーム（ＭＣＳ）を決定すること、
前記受信されたＣＱＩに基づいて別のコードワードについて別のＭＣＳを決定すること、ならびに
前記コードワードについて決定された前記ＭＣＳに基づいて各コードワードを処理すること。
［Ｃ２７］
前記選択される方法は、送信に使用される複数のレイヤにわたって信号品質を平均することによってＣＱＩをコンピュートするためのものである、Ｃ２３に記載の方法。
［Ｃ２８］
Ｃ２７に記載の方法、ここにおいて、データを前記送ることは、下記を具備する：
前記受信されたＣＱＩに基づいて複数のコードワードについて少なくとも１つの変調および符号化スキーム（ＭＣＳ）を決定すること、ならびに
前記少なくとも１つのＭＣＳに基づいて前記複数のコードワードを処理すること。
［Ｃ２９］
ＣＱＩをコンピュートするための前記選択される方法を前記決定することは、前記ＵＥのために前記基地局によって前記選択される方法を選ぶことを具備する、Ｃ２３に記載の方法。
［Ｃ３０］
前記選択される方法は、前記ＵＥの受信機処理機能に基づいて選ばれ、前記ＵＥの前記受信機処理機能は、前記ＵＥが連続干渉キャンセル（ＳＩＣ）をサポートするか否かを含む、Ｃ２３に記載の方法。
［Ｃ３１］
下記を具備する、ワイヤレス通信のための装置：
チャネル品質インジケーション（ＣＱＩ）をコンピュートするための選択される方法を決定するための手段、前記選択される方法は、ＣＱＩをコンピュートするのに利用可能な複数の方法から選ばれる；
前記選択される方法にしたがってユーザ機器（ＵＥ）によってコンピュートされるＣＱＩを受信するための手段；および
前記受信されたＣＱＩに基づいて前記ＵＥに対して基地局からデータを送るための手段。
［Ｃ３２］
前記選択される方法は、複数のコードワードの中の特定のコードワードについてのＣＱＩをコンピュートするためのものであり、前記受信されたＣＱＩは、前記特定のコードワードについてのものである、Ｃ３１に記載の装置。
［Ｃ３３］
前記選択される方法は、送信に使用される複数のレイヤにわたって信号品質を平均することによってＣＱＩをコンピュートするためのものであり、前記受信されたＣＱＩは、前記複数のレイヤの複数の信号品質の平均に基づいて決定される、Ｃ３１に記載の装置。
［Ｃ３４］
Ｃ３１に記載の装置、ここにおいて、データを送るための前記手段は、下記を具備する：
前記受信されたＣＱＩに基づいて変調および符号化スキーム（ＭＣＳ）を決定するための手段、ならびに
前記ＭＣＳに基づいて複数のコードワードのそれぞれを処理するための手段。
［Ｃ３５］
Ｃ３１に記載の装置、ここにおいて、データを送るための前記手段は、下記を具備する：
前記受信されたＣＱＩに基づいて少なくとも２つの変調および符号化スキーム（ＭＣＳ）を決定するための手段、ならびに
前記少なくとも２つのＭＣＳに基づいて複数のコードワードを処理するための手段。
【図１】
0005425936.tif 000011
【図２】
0005425936.tif 000012
【図３】
0005425936.tif 000013
【図４】
0005425936.tif 000014
【図５】
0005425936.tif 000015
【図６】
0005425936.tif 000016